(57)【要約】  本発明は、１−クロロ−２，３，３−トリフルオロ−１−プロペン（ＨＣＦＯ−１２３３ｙｄ）と、沸点が１００℃以下で、炭素数が２〜４のアルコール（Ａ）と、を含む溶剤組成物であり、各種有機物の溶解性に優れ、かつ地球環境に悪影響を及ぼさず、水切り乾燥性、フラックスの洗浄性能に優れた溶剤組成物である。【特許請求の範囲】
【請求項１】
１−クロロ−２，３，３−トリフルオロ−１−プロペンと、沸点が１００℃以下で、炭素数が２〜４のアルコール（Ａ）と、を含む溶剤組成物。
【請求項２】
前記溶剤組成物中に含まれる前記１−クロロ−２，３，３−トリフルオロ−１−プロペンと前記アルコール（Ａ）の合計１００質量％に対して、前記１−クロロ−２，３，３−トリフルオロ−１−プロペンが７５〜９９質量％、前記アルコール（Ａ）が１〜２５質量％である、請求項１に記載の溶剤組成物。
【請求項３】
前記１−クロロ−２，３，３−トリフルオロ−１−プロペンと前記アルコール（Ａ）の合計１００質量％に対して、前記１−クロロ−２，３，３−トリフルオロ−１−プロペンが９０〜９８質量％、前記アルコール（Ａ）が２〜１０質量％である、請求項１に記載の溶剤組成物。
【請求項４】
前記アルコール（Ａ）が、エタノールおよびイソプロパノールのうち少なくとも１種である、請求項１〜３のいずれか一項に記載の溶剤組成物。
【請求項５】
前記１−クロロ−２，３，３−トリフルオロ−１−プロペンが、１−クロロ−２，３，３−トリフルオロ−１−プロペンのＺ異性体を８０質量％以上含む、請求項１〜４のいずれか一項に記載の溶剤組成物。
【請求項６】
前記溶剤組成物が、さらにフェノール類、エーテル類、エポキシド類、アミン類、前記アルコール（Ａ）以外のアルコール類、炭化水素類、からなる群より選ばれる少なくとも１種の安定剤を含む、請求項１〜５のいずれか一項に記載の溶剤組成物。
【請求項７】
水が付着した物品の表面に、請求項１〜６のいずれか一項に記載の溶剤組成物を接触させて、前記物品の表面から水を除去する、水切り乾燥方法。
【請求項８】
前記物品の表面から前記水を除去した後、さらに前記物品の表面を乾燥させる、請求項７に記載の水切り乾燥方法。
【請求項９】
前記物品が、電子部品、電機部品、精密機械部品、または光学部品である、請求項７または８に記載の水切り乾燥方法。
【請求項１０】
フラックスが付着した物品の表面に、請求項１〜６のいずれか一項に記載の溶剤組成物を接触させて、前記物品の表面のフラックスを洗浄する、フラックスの洗浄方法。
【請求項１１】
前記物品の表面から前記フラックスを洗浄した後、さらに前記物品の表面を乾燥させる、請求項１０に記載のフラックスの洗浄方法。
【請求項１２】
前記物品が、電子部品、電機部品、精密機械部品、または光学部品である、請求項１０または１１に記載のフラックスの洗浄方法。
【発明の詳細な説明】
【技術分野】
【０００１】  本発明は、プリント基板、ＩＣ等の電子部品、精密機械部品、ガラス基板等の付着水除去やフラックス洗浄等に好適に用いられる溶剤組成物ならびに、該溶剤組成物を用いた水切り乾燥方法およびフラックスの洗浄方法に関する。
【背景技術】
【０００２】  半導体の製造に使用されるウエハ、フォトリソグラフィ工程で使用されるマスク、メッキ製品、レンズ等の光学部品、液晶表示装置部品、および各種電子部品に用いられる物品は、その製造工程において、水、水系洗浄剤、準水系洗浄剤等で洗浄された後に純水等の水で濯がれて清浄化される。このとき、水が十分に除去されずに物品の表面に残存すると、乾燥後に物品の表面が不均一になり、しみの発生による外観不良や、後工程での表面処理の不均一、あるいは錆の発生による性能不良等が起こる可能性がある。そのため、物品の表面から完全に水を除去し乾燥することが重要である。水を除去し乾燥する方法としては、熱風乾燥、減圧乾燥、アルコール類やフッ素系溶剤に接触させて乾燥する方法等が挙げられる。【０００３】  また、プリント基板等の製造において、半田付け後のプリント基板上には、半田に含まれるフラックス成分が残留する。フラックスは、ロジンフラックスと水溶性フラックスとに分類されており、耐久性や信頼性を要求される分野では一般にロジンフラックスが用いられている。ロジンフラックスは、半田付け後にプリント基板から完全に除去されないと回路に腐食を発生させ、回路を破損する。このため、半田付け後にプリント基板を洗浄することが一般的に行われている。【０００４】  物品表面に付着した水の除去やフラックスの洗浄等には、不燃性、低毒性、安定性に優れる等の特徴を有する、フッ素系溶剤とアルコール類との溶剤組成物が、これまで広く使用されている。【０００５】  フッ素系溶剤による乾燥方法は、他の方法に比較して、消費するエネルギー量が小さく、組成物の蒸留再生が容易であり、引火点を持たないという特徴がある。上記フッ素系溶剤とアルコール類との溶剤組成物としては、特許文献１に記載のようなハイドロクロロフルオロカーボン類(以下「ＨＣＦＣ類」と記す。)、ハイドロフルオロカーボン類（以下、「ＨＦＣ類」と記す。）、およびハイドロフルオロエーテル類（以下、「ＨＦＥ類」と記す。）から選ばれる少なくとも１種とアルコール類とを必須成分とする溶剤組成物が知られている。特許文献１には上記溶剤組成物を水切り用途に使用できることが記載されている。【０００６】  また、従来のフッ素系溶剤に替わる新しい溶剤として、炭素原子−炭素原子間に二重結合を持つフルオロオレフィンが提案されており、洗浄剤、塗布溶剤として特許文献２、３に１，１−ジクロロ−２，３，３、３−テトラフルオロプロペン、特許文献４、５にモノクロロトリフルオロプロペンが示されており、洗浄力向上のため炭化水素やアルコール等との溶剤組成物が提案されている。
【先行技術文献】
【特許文献】
【０００７】
【特許文献１】特許第４７３５５３７号公報
【特許文献２】特開２０１３−２２４３８３号公報
【特許文献３】国際公開第２０１３／１６１７２３号
【特許文献４】特開２０１３−５０６７３１号公報
【特許文献５】特開２０１３−５０４６５８号公報
【発明の概要】
【発明が解決しようとする課題】
【０００８】  しかしながら、ＨＣＦＣ類はオゾン層に影響があることから日本では２０１９年末に全廃が決まっている。また、ＨＦＣ類やＨＦＥ類においては、オゾン層に影響を与えることがなく、物品の表面から水を除去し乾燥する性能（以下、「水切り性能」ともいう。）には優れているが、地球温暖化係数が比較的高い。【０００９】  上記のように、従来使用されてきたＨＣＦＣ類、ＨＦＣ類、ＨＦＥ類は、種々の利点を有するにもかかわらず、オゾン層への影響や地球温暖化係数の高さから環境に影響を及ぼすことから、その使用の規制対象となっている物質が多い。このため、より環境影響の小さな代替溶剤が求められている。【００１０】  上記したフルオロオレフィンについては、環境への負荷が小さく、洗浄力も従来と同等の性能を有しているため有望ではある。しかしながら、水切り乾燥時における水しみが発生したり、半田付け後の強固なフラックスの洗浄においては洗浄力が不足する場合があり、これらの課題を十分に解消できる溶剤組成物が求められている。【００１１】  本発明は、新たな組成の溶剤組成物により、洗浄性が良好で、かつ、地球環境に悪影響を及ぼさず、特に、水切り乾燥性やフラックスの洗浄性に優れる溶剤組成物の提供を目的とする。
【課題を解決するための手段】
【００１２】  本発明者らは上記の点を鑑み鋭意検討した結果、所定のフッ素系溶剤とアルコール類の組み合わせが有効であることを見出し、本発明を完成した。すなわち、本発明は以下よりなる。【００１３】  ［１］１−クロロ−２，３，３−トリフルオロ−１−プロペンと、沸点が１００℃以下で、炭素数が２〜４のアルコール（Ａ）と、を含む溶剤組成物。  ［２］前記溶剤組成物中に含まれる前記１−クロロ−２，３，３−トリフルオロ−１−プロペンと前記アルコール（Ａ）の合計１００質量％に対して、前記１−クロロ−２，３，３−トリフルオロ−１−プロペンが７５〜９９質量％、前記アルコール（Ａ）が１〜２５質量％である、［１］に記載の溶剤組成物。  ［３］前記１−クロロ−２，３，３−トリフルオロ−１−プロペンと前記アルコール（Ａ）の合計１００質量％に対して、前記１−クロロ−２，３，３−トリフルオロ−１−プロペンが９０〜９８質量％、前記アルコール（Ａ）が２〜１０質量％である、［１］に記載の溶剤組成物。  ［４］前記アルコール（Ａ）が、エタノールおよびイソプロパノールのうち少なくとも１種である、［１］〜［３］のいずれか一項に記載の溶剤組成物。  ［５］前記１−クロロ−２，３，３−トリフルオロ−１−プロペンが、１−クロロ−２，３，３−トリフルオロ−１−プロペンのＺ異性体を８０質量％以上含む、［１］〜［４］のいずれか一項に記載の溶剤組成物。  ［６］前記溶剤組成物が、さらにフェノール類、エーテル類、エポキシド類、アミン類、前記アルコール（Ａ）以外のアルコール類、炭化水素類、からなる群より選ばれる少なくとも１種の安定剤を含む、［１］〜［５］のいずれか一項に記載の溶剤組成物。【００１４】  ［７］水が付着した物品の表面に、［１］〜［６］のいずれか一項に記載の溶剤組成物を接触させて、前記物品の表面から水を除去する、水切り乾燥方法。  ［８］前記物品の表面から前記水を除去した後、さらに前記物品の表面を乾燥させる、［７］に記載の水切り乾燥方法。  ［９］前記物品が、電子部品、電機部品、精密機械部品、または光学部品である、［７］または［８］に記載の水切り乾燥方法。  ［１０］フラックスが付着した物品の表面に、［１］〜［６］のいずれか一項に記載の溶剤組成物を接触させて、前記物品の表面のフラックスを洗浄する、フラックスの洗浄方法。  ［１１］前記物品の表面から前記フラックスを洗浄した後、さらに前記物品の表面を乾燥させる、［１０］に記載のフラックスの洗浄方法。  ［１２］前記物品が、電子部品、電機部品、精密機械部品、または光学部品である、［１０］または［１１］に記載のフラックス洗浄方法。
【発明の効果】
【００１５】  本発明の溶剤組成物は、洗浄性に優れ、かつ、地球環境に悪影響を及ぼさず、特に、水切り乾燥性やフラックスの洗浄性に優れる。【００１６】  本発明の水切り乾燥方法は、地球環境に悪影響を及ぼさず、乾燥が容易にでき、かつ、乾燥時に水しみ等を生じさせることがないため、水切り乾燥を簡便、かつ、効果的に行うことができる。【００１７】  本発明のフラックスの洗浄方法は、地球環境に悪影響を及ぼさず、半田付け後のフラックスの洗浄を容易に行うことができる。
【発明を実施するための形態】
【００１８】  本発明の溶剤組成物、水切り乾燥方法、フラックスの洗浄方法について、以下、実施形態を参照しながら詳細に説明する。  本明細書において、水切り乾燥とは、水が付着した物品の表面から、水を除去することをいい、水切り乾燥性に優れるとは、水を除去した後の物品の表面に水しみがないことをいう。
【００１９】  本発明の一実施形態である溶剤組成物は、１−クロロ−２，３，３−トリフルオロ−１−プロペン（以下「ＨＣＦＯ−１２３３ｙｄ」と記す。）と、沸点が１００℃以下で、炭素数が２〜４のアルコール（Ａ）と、を含んでなる。
【００２０】  本明細書において、ＨＣＦＯ−１２３３ｙｄは、ＨＣＦＯ−１２３３ｙｄ（Ｚ）、ＨＣＦＯ−１２３３ｙｄ（Ｅ）、およびＨＣＦＯ−１２３３ｙｄ（Ｚ）とＨＣＦＯ−１２３３ｙｄ（Ｅ）の混合体のいずれであってもよい。
【００２１】＜ＨＣＦＯ−１２３３ｙｄ＞  本実施形態で用いるＨＣＦＯ−１２３３ｙｄは、炭素原子−炭素原子間に二重結合を持つフルオロオレフィンであるため、大気中での寿命が短く、オゾン破壊係数や地球温暖化係数が小さい。
【００２２】  ＨＣＦＯ−１２３３ｙｄは、Ｚ異性体（以下「ＨＣＦＯ−１２３３ｙｄ（Ｚ）」と記す）およびＥ異性体（以下「ＨＣＦＯ−１２３３ｙｄ（Ｅ）」と記す）の構造異性体が存在する。
【００２３】  ＨＣＦＯ−１２３３ｙｄ（Ｚ）の沸点は約５４℃、ＨＣＦＯ−１２３３ｙｄ（Ｅ）の沸点は４８℃であり、ともに乾燥性に優れた物質である。また、沸騰させて蒸気となってもＨＣＦＯ−１２３３ｙｄ（Ｚ）では約５４℃、ＨＣＦＯ−１２３３ｙｄ（Ｅ）では４８℃であるので、樹脂部品等の熱による影響を受けやすい部品であっても悪影響を及ぼし難い。また、ＨＣＦＯ−１２３３ｙｄは引火点を持たず、表面張力や粘度も低く、室温でも容易に蒸発する等、洗浄剤や塗布溶剤として優れた性能を有している。
【００２４】  洗浄剤や塗布溶剤としての実用上の取扱い容易性、沸点および生産容易性から考慮される経済的優位性から、本実施形態の溶剤組成物には、ＨＣＦＯ−１２３３ｙｄが適しており、さらにＨＣＦＯ−１２３３ｙｄの２種類の構造異性体のうち、ＨＣＦＯ−１２３３ｙｄ（Ｚ）が好ましい。
【００２５】  ＨＣＦＯ−１２３３ｙｄは、例えば、工業的に安定的に入手可能な１−クロロ−２，２，３，３−テトラフルオロパン（ＨＣＦＣ−２４４ｃａ）を脱フッ化水素化反応することで製造できる。この方法によると、ＨＣＦＯ−１２３３ｙｄは、ＨＣＦＣ−２４４ｃａを塩基の存在下に脱フッ化水素反応を行うことにより生成する。
【００２６】  生成したＨＣＦＯ−１２３３ｙｄ反応液には、構造異性体であるＨＣＦＯ−１２３３ｙｄ（Ｚ）とＨＣＦＯ−１２３３ｙｄ（Ｅ）が存在し、この製造例においては、ＨＣＦＯ−１２３３ｙｄ（Ｚ）がＨＣＦＯ−１２３３ｙｄ（Ｅ）よりも多く生成する。これらの異性体は、その後の精製工程でＨＣＦＯ−１２３３ｙｄ（Ｚ）、ＨＣＦＯ−１２３３ｙｄ（Ｅ）に分離することができる。この製造例で得られたＨＣＦＯ−１２３３ｙｄ（Ｚ）には、原料由来の物質であるＨＣＦＣ−２４４ｃａやＨＣＦＯ−１２３３ｙｄ（Ｅ）、１−クロロ−３，３−ジフルオロプロピンが含まれる場合がある。本実施形態におけるＨＣＦＯ−１２３３ｙｄの純度は９９質量％以上が好ましく、９９．５質量％以上がより好ましい。
【００２７】＜アルコール（Ａ）＞  本実施形態に用いるアルコール（Ａ）は、沸点が１００℃以下で、炭素数が２〜４のアルコールである。一般に、アルコールは、直鎖、分岐鎖または環状構造の炭化水素の水素原子の一部が水酸基に置換した有機化合物（低級アルコール）のことをいう。  このアルコール（Ａ）を構成する沸点が１００℃以下で、炭素数が２〜４のアルコールは、１種のみを用いてもよく、２種以上を用いてもよい。このアルコール（Ａ）としては、ＨＣＦＯ−１２３３ｙｄへの溶解性があり、揮発性がある化合物が用いられ、ＨＣＦＯ−１２３３ｙｄとともに揮発して物品の表面に残留しにくいことから、炭素数が２〜３のアルコールが好ましい。
【００２８】  アルコール（Ａ）としては、具体的には、エタノール（沸点：７８℃）、１−プロパノール（沸点：９７℃）、イソプロパノール（沸点８２℃）、２−ブタノール（沸点：１００℃）、２−メチル−２−プロパノール（沸点：８２℃）、アリルアルコール（沸点：９７℃）等が挙げられる。なかでも、入手性、経済性がよく、ＨＣＦＯ−１２３３ｙｄと共沸組成を形成でき、水切り乾燥性およびフラックスの洗浄性に優れる点で、エタノール、イソプロパノールがより好ましい。
【００２９】  本実施形態の溶剤組成物がアルコール（Ａ）を含むことで、水切り乾燥性およびフラックスの洗浄性に優れた溶剤組成物が得られる。また、アルコール（Ａ）を含むことで、ＨＣＦＯ−１２２３ｙｄ（Ｚ）およびＨＣＦＯ−１２３３ｙｄ（Ｅ）の分解を抑制する効果も奏する。この溶剤組成物に含まれるＨＣＦＯ−１２３３ｙｄとアルコール（Ａ）との合計１００質量％に対して、ＨＣＦＯ−１２３３ｙｄの含有割合が７５〜９９質量％、アルコール（Ａ）の含有割合が１〜２５質量％、が好ましく、ＨＣＦＯ−１２３３ｙｄの含有割合が９０〜９８質量％、アルコール（Ａ）の含有割合が２〜１０質量％、がより好ましい。アルコール（Ａ）の含有割合が前記下限値以上であれば、水切り乾燥性およびフラックスの洗浄性にさらに優れる。また、前記上限値以下であれば、溶剤組成物中の飽和水分濃度が低く、洗浄後、水切り乾燥後の物品表面にしみができにくい。
【００３０】  本実施形態の溶剤組成物において、ＨＣＦＯ−１２３３ｙｄとアルコール（Ａ）が共沸組成または共沸様組成であることが好ましい。共沸組成または共沸様組成とすることで、水切り乾燥性およびフラックスの洗浄性に優れ、繰り返し使用できる点で好ましい。
【００３１】  一般に、共沸組成物は、液相の気化により生成される気相の組成が該液相の組成と同一となり、または、気相の液化により生成される液相の組成が該気相の組成と同一となるものとして定義される。共沸組成物は、蒸発、凝縮により組成が変化しないことから、溶剤組成物として繰り返し使用することができる。なお、共沸組成物の組成は、圧力条件により変化する。
【００３２】  一方、共沸様組成物は、共沸組成物に類似した挙動を示すものである。すなわち、共沸様組成物は、液相の気化により生成される気相の組成が該液相の組成と略同一となり、または、気相の液化により生成される液相の組成が該気相の組成と略同一となる。共沸様組成物は、蒸発、凝縮により組成がほとんど変化しないことから、共沸組成物と同様、溶剤組成物として繰り返し使用することができる。
【００３３】  例えば、ＨＣＦＯ−１２３３ｙｄ（Ｚ）とエタノールからなる溶剤組成物の場合、ＨＣＦＯ−１２３３ｙｄ（Ｚ）とエタノールとの合計量を１００質量％としたとき、ＨＣＦＯ−１２３３ｙｄ（Ｚ）が９６質量％、エタノールが４質量％で共沸組成となる。ＨＣＦＯ−１２３３ｙｄ（Ｅ）とエタノールからなる溶剤組成物の共沸組成またはＨＣＦＯ−１２３３ｙｄ（Ｚ）とＨＣＦＯ−１２３３ｙｄ（Ｅ）とエタノールからなる溶剤組成物の共沸組成も上記組成に近いと推定される。  そのため、この溶剤組成物においては、ＨＣＦＯ−１２３３ｙｄの含有割合が９２〜９８質量％、エタノールの含有割合が２〜８質量％、がさらに好ましく、ＨＣＦＯ−１２３３ｙｄの含有割合が９４〜９７質量％、エタノールの含有割合が３〜６質量％、が特に好ましい。
【００３４】  また、例えば、ＨＣＦＯ−１２３３ｙｄ（Ｚ）とイソプロパノールからなる溶剤組成物の場合、ＨＣＦＯ−１２３３ｙｄ（Ｚ）とイソプロパノールとの合計量を１００質量％としたとき、ＨＣＦＯ−１２３３ｙｄ（Ｚ）が９８質量％、イソプロパノールが２質量％、が共沸組成となる。ＨＣＦＯ−１２３３ｙｄ（Ｅ）とイソプロパノールからなる溶剤組成物の共沸組成またはＨＣＦＯ−１２３３ｙｄ（Ｚ）とＨＣＦＯ−１２３３ｙｄ（Ｅ）とイソプロパノールからなる溶剤組成物の共沸組成も上記組成に近いと推定される。  そのため、この溶剤組成物においては、ＨＣＦＯ−１２３３ｙｄの含有割合が９５〜９９質量％、イソプロパノールが１〜５質量％がさらに好ましく、ＨＣＦＯ−１２３３ｙｄの含有割合が９７〜９９質量％、イソプロパノールが１〜３質量％、が特に好ましい。
【００３５】  なお、水切り乾燥性を良好にするためには、溶剤組成物中の飽和水分濃度が低い方が好ましい。これは、飽和水分濃度が高いと、水切り乾燥の際に、物品表面にその飽和水分に起因するしみ（水しみ）等が生じるおそれがある。一般に、アルコールと水はなじみが良いため、溶剤組成物中のアルコールの濃度が高くなると、飽和水分濃度も高くなる。そのため、上記溶剤組成物においてはアルコールの濃度は低い方が好ましい。したがって、上記した水切り乾燥性を良好に保ち、飽和水分に起因するしみを抑制するには、共沸組成付近で、できるだけアルコールの濃度を抑えることが好ましい。アルコールの炭素数を２以上とすることで、共沸組成付近でできるだけアルコールの濃度を抑えることができる。なかでもエタノールやイソプロパノールは上記特性のバランスが良好である。
【００３６】＜安定剤＞  本実施形態の溶剤組成物には、本実施形態の効果を阻害しない範囲で、さらに、安定剤を配合することもできる。本実施形態における安定剤とは、ＨＣＦＯ−１２３３ｙｄ（Ｚ）およびＨＣＦＯ−１２３３ｙｄ（Ｅ）の分解を抑制する効果を有するものをいう（ただし、上記アルコール（Ａ）は除く）。
【００３７】  ＨＣＦＯ−１２３３ｙｄを安定化できる化合物としては、フェノール類、エーテル類、エポキシド類、アミン類、上記アルコール（Ａ）以外のアルコール類、および炭化水素類からなる群より選ばれる少なくとも１種を用いることができる。
【００３８】  ここで、安定性は、例えば、ＨＣＦＯ−１２３３ｙｄに所定の割合で安定剤を溶解させた試験溶液を一定期間保存した後の塩素イオン濃度を指標として評価することができる。塩素イオン濃度は、イオンクロマトグラフで測定する。
【００３９】  具体的には、本実施形態の溶剤組成物における安定剤としては、ＨＣＦＯ−１２３３ｙｄを５０℃で３日間保存した際に、溶剤組成物中の塩素イオン濃度が１００ｐｐｍ以下となる安定剤が好ましく、塩素イオン濃度が５０ｐｐｍ以下となる安定剤がより好ましく、塩素イオン濃度１０ｐｐｍ以下となる安定剤がさらに好ましい。
【００４０】  本実施形態の溶剤組成物における安定剤の含有量は、溶剤組成物中に、１質量ｐｐｍ以上であることが好ましく、５質量ｐｐｍ以上であることがより好ましく、１０質量ｐｐｍ以上であることが特に好ましい。また、この安定剤の含有量は、１０質量％以下が好ましく、５質量％以下がより好ましく、１質量％以下が特に好ましい。安定剤は上記好ましい範囲内であると、ＨＣＦＯ−１２３３ｙｄに対する安定性を十分に示すだけでなく、ＨＣＦＯ−１２３３ｙｄのもつ表面張力や粘度が低く浸透性が良いという特性を損なわない点から特に優れている。
【００４１】  本実施形態における安定剤は、それぞれ安定化作用が異なると考えられる。たとえば、フェノール類や炭化水素類は酸化防止作用によりＨＣＦＯ−１２３３ｙｄの分解を抑制し、エポキシド類は発生した酸や塩素イオンを捕捉することにより、また、アミン類は分解によって生じた酸性物質を中和することにより、それぞれ酸性物質によるＨＣＦＯ−１２３３ｙｄの分解促進を抑制すると推測される。したがって必要に応じて２種類以上の安定剤を含有することにより、各安定剤の相乗効果が得られる。
【００４２】  本実施形態におけるフェノール類とは、芳香族炭化水素核に１個以上のヒドロキシ基を有する芳香族ヒドロキシ化合物をいう。芳香族ヒドロキシ化合物としてはＨＣＦＯ−１２３３ｙｄに溶解することが好ましい。芳香族炭化水素核としてはベンゼン核が好ましい。芳香族炭化水素核には水素原子以外に１つ以上の置換基が結合していてもよい。置換基としては、炭化水素基、アルコキシ基、アシル基、カルボニル基などが挙げられる。また、芳香族炭化水素核に結合している１つ以上の水素原子がハロゲン原子に置換されていてもよい。炭化水素基には、アルキル基、アルケニル基、芳香族炭化水素基、アラルキル基などが挙げられる。
【００４３】  このうち、アルキル基、アルケニル基、アルコキシ基、アシル基、カルボニル基の炭素数は６以下が好ましく、芳香族炭化水素基や、アラルキル基の炭素数は１０以下が好ましい。炭化水素基としてはアルキル基やアルケニル基が好ましく、特にアルキル基が好ましい。さらに、芳香族炭化水素核のヒドロキシ基に対してオルト位にアルキル基やアルコキシ基を有していることが好ましい。オルト位のアルキル基としてはターシャリーブチル基などの分岐アルキル基が好ましい。オルト位が２つ存在する場合はそのいずれにもアルキル基が存在していてもよい。
【００４４】  フェノール類としては、具体的には、フェノール、１，２−ベンゼンジオール、１，３−ベンゼンジオール、１，４−ベンゼンジオール、１，３，５−ベンゼントリオール、２，６−ジターシャリーブチル−４−メチルフェノール、２，４，６−トリターシャリーブチルフェノール、２−ターシャリーブチルフェノール、３−ターシャリーブチルフェノール、４−ターシャリーブチルフェノール、２，４−ジターシャリーブチルフェノール、２，６−ジターシャリーブチルフェノール、４，６−ジターシャリーブチルフェノール、ｏ−クレゾール、ｍ−クレゾール、ｐ−クレゾール、２，３−ジメチルフェノール、２，４−ジメチルフェノール、２，５−ジメチルフェノール、２，６−ジメチルフェノール、２，３，６−トリメチルフェノール、２，４，６−トリメチルフェノール、２，５，６−トリメチルフェノール、３−イソプロピルフェノール、２−イソプロピル−５−メチルフェノール、２−メトキシフェノール、３−メトキシフェノール、４−メトキシフェノール、２−エトキシフェノール、３−エトキシフェノール、４−エトキシフェノール、２−プロポキシフェノール、３−プロポキシフェノール、４−プロポキシフェノール、α−トコフェロール、β−トコフェロール、γ−トコフェロールおよび４−ターシャリーブチルカテコールが挙げられる。
【００４５】  なかでも、フェノール、１，２−ベンゼンジオール、２，６−ジターシャリーブチル−４−メチルフェノール、ｍ−クレゾール、２−イソプロピル−５−メチルフェノール、α−トコフェロールおよび２−メトキシフェノールがより好ましい。
【００４６】  上記フェノール類の添加濃度は、本実施形態の溶剤組成物中に、１質量ｐｐｍ〜１０質量％が好ましく、５質量ｐｐｍ〜５質量％がより好ましく、さらに好ましくは１０質量ｐｐｍ〜１質量％である。安定剤は上記好ましい範囲内であると、ＨＣＦＯ−１２３３ｙｄに対する十分な安定性を示すことに加え、ＨＣＦＯ−１２３３ｙｄのもつ表面張力や粘度が低く、浸透性が良いという特性を阻害しない点から特に優れている。
【００４７】  また本実施形態におけるエーテル類とは、酸素原子に２つの炭化水素基が結合した鎖状エーテルと環を構成する原子として酸素原子を有する環状エーテル（ただし、３員環状エーテルであるエポキシ環を除く）とをいう。鎖状エーテルと環状エーテルにおけるエーテル性酸素原子の数は２以上であってもよい。エーテル類の炭素数は１２以下が好ましい。また、エーテルを構成する炭化水素基の炭素原子にはハロゲン原子、ヒドロキシ基等の置換基を有していてもよい。ただし、エポキシ基を有するエーテル類はエポキシド類とみなす。
【００４８】  エーテル類としては、具体的には、ジメチルエーテル、ジエチルエーテル、ジプロピルエーテル、ジイソプロピルエーテル、ジブチルエーテル、ジペンチルエーテル、ジイソペンチルエーテル、ジアリルエーテル、エチルメチルエーテル、エチルプロピルエーテル、エチルイソプロピルエーテル、エチルイソブチルエーテル、エチルイソペンチルエーテル、エチルビニルエーテル、アリルエチルエーテル、エチルフェニルエーテル、エチルナフチルエーテル、エチルプロパルギルエーテル、１，４−ジオキサン、１，３−ジオキサン、１，３，５−トリオキサン、エチレングリコールモノメチルエーテル、エチレングリコールモノブチルエーテル、エチレングリコールモノフェニルエーテル、エチレングリコールモノベンジルエーテル、エチレングリコールジメチルエーテル、エチレングリコールジエチルエーテル、エチレングリコールジフェニルエーテル、ジエチレングリコールモノメチルエーテル、ジエチレングリコールモノエチルエーテル、ジプロピレングリコールメチルエーテル、アニソール、アネトール、トリメトキシエタン、トリエトキシエタン、フラン、２−メチルフランおよびテトラヒドロフランが挙げられる。
【００４９】  エーテル類としては４〜６員環の環状エーテルが好ましく、なかでも、１，４−ジオキサン、１，３−ジオキサン、１，３，５−トリオキサン、２−メチルフランおよびテトラヒドロフランが好ましい。
【００５０】  上記エーテル類の添加濃度は本実施形態の溶剤組成物中に、１質量ｐｐｍ〜１０質量％が好ましく、１０質量ｐｐｍ〜７質量％がより好ましく、０．０１質量％〜５質量％がさらに好ましい。安定剤は上記好ましい範囲内であると、ＨＣＦＯ−１２３３ｙｄに対する十分な安定性を示すことに加え、ＨＣＦＯ−１２３３ｙｄのもつ表面張力や粘度が低く、浸透性が良いという特性を阻害しない点から特に優れている。
【００５１】  また本実施形態におけるエポキシド類とは、３員環状エーテルであるエポキシ基を１個以上有する化合物をいう。エポキシド類は、エポキシ基を１分子中に２個以上有していてもよく、また、ハロゲン原子、エーテル性酸素原子、ヒドロキシ基等の置換基を有していてもよい。エポキシド類の炭素原子数は１２以下が好ましい。
【００５２】  エポキシド類としては、具体的には、１，２−プロピレンオキシド、１，２−ブチレンオキシド、１，２−エポキシ−３−フェノキシプロパン、ブチルグリシジルエーテル、メチルグリシジルエーテル、エチルグリシジルエーテル、ブチルグリシジルエーテル、ビニルグリシジルエーテル、アリルグリシジルエーテル、ジエチレングリコールジグリシジルエーテル、エピクロロヒドリン、ｄ−リモネンオキシドおよび１−リモネンオキシドが挙げられる。なかでも、１，２−プロピレンオキシド、１，２−ブチレンオキシドおよびブチルグリシジルエーテルが好ましい。
【００５３】  上記エポキシド類の添加濃度は、本実施形態の溶剤組成物中に、１質量ｐｐｍ〜１０質量％が好ましく、１０質量ｐｐｍ〜７質量％がより好ましく、０．０１質量％〜５質量％がさらに好ましい。安定剤は上記好ましい範囲内であると、ＨＣＦＯ−１２３３ｙｄに対する十分な安定性を示すことに加え、ＨＣＦＯ−１２３３ｙｄのもつ表面張力や粘度が低く、浸透性が良いという特性を阻害しない点から特に優れている。
【００５４】  また本実施形態におけるアミン類とは、置換または無置換のアミノ基を１個以上有する化合物（第１級〜第３級アミン）をいう。また、アミン類は非環状のアミン類であっても環状アミン類（アミノ酸の窒素原子が環を構成する原子である環状化合物）であってもよい。第２級アミンや第３級アミンの窒素原子に結合している基としては、炭素数６以下のアルキル基やヒドロキシアルキル基が好ましい。非環状のアミン類としては脂肪族アミンや芳香族アミンが挙げられる。脂肪族アミンとしては置換または無置換のアミノ基を１個以上有するベンゼン核含有化合物が挙げられる。環状アミン類としては、環を構成する窒素原子の数が１〜３個の４〜６員環化合物が挙げられる。また、アミン類の炭素原子数は１６以下が好ましく、１０以下がより好ましい。
【００５５】  アミン類としては、具体的には、メチルアミン、ジメチルアミン、トリメチルアミン、エチルアミン、ジエチルアミン、トリエチルアミン、ｎ−プロピルアミン、ジ−ｎ−プロピルアミン、イソプロピルアミン、ジイソプロピルアミン、ブチルアミン、ジブチルアミン、トリブチルアミン、イソブチルアミン、ジイソブチルアミン、セカンダリー−ブチルアミン、ターシャリー−ブチルアミン、ペンチルアミン、ジペンチルアミン、トリペンチルアミン、ヘキシルアミン、２−エチルヘキシルアミン、アリルアミン、ジアリルアミン、トリアリルアミン、アニリン、Ｎ−メチルアニリン、Ｎ，Ｎ−ジメチルアニリン、Ｎ，Ｎ−ジエチルアニリン、ピリジン、ピコリン、モルホリン、Ｎ−メチルモルホリン、ベンジルアミン、ジベンジルアミン、α−メチルベンジルアミン、プロピレンジアミン、ジエチルヒドロキシアミン、ピロール、Ｎ−メチルピロール、２−メチルピリジン、３−メチルピリジン、４−メチルピリジン、エタノールアミン、ジエタノールアミン、トリエタノールアミン、プロパノールアミン、ジプロパノールアミン、イソプロパノールアミン、ジイソプロパノールアミン、Ｎ−メチルエタノールアミン、Ｎ，Ｎ−ジメチルエタノールアミン、Ｎ−エチルモルホリン、ジフェニルアミンおよびエチレンジアミンが挙げられる。
【００５６】  アミン類としては、アルキルアミンと環状アミン類が好ましく、なかでも、ピロール、Ｎ−メチルピロール、２−メチルピリジン、ｎ−プロピルアミン、ジイソプロピルアミン、Ｎ−メチルモルホリンおよびＮ−エチルモルホリンが好ましい。
【００５７】  上記アミン類の添加濃度は、本実施形態の溶剤組成物中に、１質量ｐｐｍ〜１０質量％が好ましく、５質量ｐｐｍ〜５質量％がより好ましく、さらに好ましくは１０質量ｐｐｍ〜１質量％であり、０．００１〜０．１質量％が最も好ましい。安定剤は上記好ましい範囲内であると、ＨＣＦＯ−１２３３ｙｄに対する十分な安定性を示すことに加え、ＨＣＦＯ−１２３３ｙｄのもつ表面張力や粘度が低く、浸透性が良いという特性を阻害しない点から特に優れている。
【００５８】  さらに、上記アミン類には緩衝作用があるため、ＨＣＦＯ−１２３３ｙｄが分解する際に生じる酸を捕捉して、酸分上昇を防ぎさらなる分解反応を抑制する効果があり、外部から持ち込まれた酸分を捕捉することで外部要因による影響を小さくすることができる。
【００５９】  また、本実施形態における上記アルコール（Ａ）以外のアルコール類とは、上記説明した必須成分としてのアルコール（Ａ）以外の安定剤として使用されるアルコール類（以下、「アルコール安定剤」と称する）をいう。具体的には、ここでいうアルコール安定剤としては、沸点が１００℃超、または、炭素数が１もしくは６以上の、直鎖、分岐鎖または環状構造の炭化水素にヒドロキシ基が結合した有機化合物のことをいう。
【００６０】  このアルコール安定剤としては、具体的には、メタノール、ｎ−ブチルアルコール、１−ペンタノール、２−ペンタノール、１−エチル−１−プロパノール、２−メチル−１−ブタノール、３−メチル−１−ブタノール、３−メチル−２−ブタノール、ネオペンチルアルコール、１−ヘキサノール、２−メチル−１−ペンタノール、４−メチル−２−ペンタノール、２−エチル−１−ブタノール、１−ヘプタノール、２−ヘプタノール、３−ヘプタノール、１−オクタノール、２−オクタノール、２−エチル−１−ヘキサノール、１−ノナノール、３，５，５−トリメチル−１−ヘキサノール、１−デカノール、１−ウンデカノール、１−ドデカノール、ベンジルアルコール、シクロヘキサノール、１−メチルシクロヘキサノール、２−メチルシクロヘキサノール、３−メチルシクロヘキサノール、４−メチルシクロヘキサノール、α−テルピネオール、２，６−ジメチル−４−ヘプタノール、ノニルアルコール、テトラデシルアルコール、２−プロピン−１−オール等が挙げられる。なかでも、メタノール、２−プロピン−１−オールがより好ましい。
【００６１】  上記アルコール安定剤の添加濃度は、本実施形態の溶剤組成物中に、１質量ｐｐｍ〜１０質量％が好ましく、５質量ｐｐｍ〜５質量％がより好ましく、さらに好ましくは１０質量ｐｐｍ〜１質量％であり、０．００１〜０．１質量％が最も好ましい。安定剤は上記好ましい範囲内であると、ＨＣＦＯ−１２３３ｙｄに対する十分な安定性を示すことに加え、ＨＣＦＯ−１２３３ｙｄのもつ表面張力や粘度が低く、浸透性が良いという特性を阻害しない点から特に優れている。
【００６２】  また、本実施形態における炭化水素類とは、直鎖、分岐鎖または環状構造の炭化水素分子を有する有機化合物である。本実施形態において、炭化水素類は、飽和炭化水素でもよく、炭素−炭素結合の少なくとも一つが不飽和結合である不飽和炭化水素でもよい。本実施形態における炭化水素類としては、ＨＣＦＯ−１２３３ｙｄへの溶解性があり、揮発性があって、ＨＣＦＯ−１２３３ｙｄとともに揮発して物品の表面に残留しにくい点で、炭素数が５〜９の鎖状または環状の炭化水素類が好ましい。
【００６３】  飽和炭化水素類としては、具体的には、ｎ−ペンタン、ｎ−ヘキサン、２−メチルペンタン、３−メチルペンタン、２，２−ジメチルブタン、２，３−ジメチルブタン、ｎ−ヘプタン、２−メチルヘキサン、３−メチルヘキサン、２，４−ジメチルペンタン、２−メチルヘプタン、３−メチルヘプタン、４−メチルヘプタン、２，２−ジメチルヘキサン、２，５−ジメチルヘキサン、３，３−ジメチルヘキサン、２−メチル−３−エチルペンタン、３−メチル−３−エチルペンタン、２，３，３−トリメチルペンタン、２，３，４−トリメチルペンタン、２，２，３−トリメチルペンタン、２−メチルヘプタン、２，２，４−トリメチルペンタン、シクロペンタン、メチルシクロペンタン、シクロヘキサン、メチルシクロヘキサン等が挙げられる。なかでも、ｎ−ペンタン、シクロペンタン、ｎ−ヘキサン、シクロヘキサン、ｎ−ヘプタンがより好ましい。
【００６４】  不飽和炭化水素としては、具体的には、１−ペンテン、２−ペンテン、２−メチル−１−ブテン、３−メチル−１−ブテン、２−メチル−２−ブテン等のペンテン異性体、１−ヘキセン、２−ヘキセン、３−ヘキセン、２−メチル−１−ペンテン、３−メチル−１−ペンテン、４−メチル−１−ペンテン、２−エチル−１−ブテン、３−エチル−１−ブテン、３−エチル−２−ブテン、２−メチル−２−ペンテン、３−メチル−２−ペンテン、４−メチル−２−ペンテン、２，３−ジメチル−２−ブテン等のヘキセン異性体、１−ヘプテン、２−ヘプテン、３−ヘプテン、４−ヘプテン、３−エチル−２−ペンテン等のへプテン異性体、１−オクテン、２，４，４−トリメチル−１−ペンテン、２，４，４−トリメチル−２−ペンテン等のオクテン異性体、１−ノネン等のノネン異性体、また、ブタジエン、イソプレン、ヘキサジエン、ヘプタジエン、オクタジエン等のジエン化合物、シクロヘキセン、シクロヘキサジエン、シクロヘプテン、シクロヘプタジエン、シクロオクテン、シクロオクタジエン等の不飽和環状化合物が挙げられる。本実施形態では、特に２−メチル−２−ブテン、２−メチル−１−ペンテン、２−メチル−２−ペンテン、３−エチル−２−ブテン、２，３−ジメチル−２−ブテン、２，４，４−トリメチル−１−ペンテン、２，４，４−トリメチル−２−ペンテンが好ましい。
【００６５】  上記炭化水素類のうち、酸素捕捉による酸化防止作用は不飽和炭化水素が飽和炭化水素よりも高いため、不飽和炭化水素がＨＣＦＯ−１２３３ｙｄの安定剤としてより好ましい。
【００６６】  上記炭化水素類の配合量としては、溶剤組成物中に、１質量ｐｐｍ〜１０質量％が好ましく、より好ましくは５質量ｐｐｍ〜７質量％、さらに好ましくは１０質量ｐｐｍ〜５質量％であり、０．００１〜０．１質量％が最も好ましい。安定剤は上記好ましい範囲内であると、ＨＣＦＯ−１２３３ｙｄに対する十分な安定性を示すことに加え、ＨＣＦＯ−１２３３ｙｄのもつ表面張力や粘度が低く、浸透性が良いという特性を阻害しない点から特に優れている。
【００６７】  本実施形態の溶剤組成物は沸点が３０〜１２０℃である少なくとも１種類の安定剤を含むことが好ましい。沸点が３０〜１２０℃の安定剤のうち少なくとも１種類の上記安定剤を含むことで、乾燥性に優れたものとなる。これにより、水切り乾燥後やフラックス洗浄後の物品表面に、本実施形態の溶剤組成物由来の成分が残留することがない。
【００６８】  この観点から好ましい安定剤としては、メタノール（沸点：６４．５℃）、２−プロピン−１−オール（沸点：１１２℃）、１，２−ブチレンオキシド（沸点：６３．２℃）、テトラヒドロフラン（沸点：６６℃）、１，４−ジオキサン（沸点：１０１℃）、ｎ−プロピルアミン（沸点：４８℃）、ジイソプロピルアミン（沸点：８４℃）、Ｎ−メチルモルホリン（沸点：１１５℃）、Ｎ−メチルピロール（沸点：１１２℃）、２−メチル−２−ブテン（沸点：３９℃）、２−メチル−１−ペンテン（沸点；６２℃）、２−メチル−２−ペンテン（沸点：６７℃）、３−エチル−２−ブテン（沸点：７３℃）、２，３−ジメチル−２−ブテン（沸点：７３℃）、２，４，４−トリメチル−１−ペンテン（沸点：１１２℃）、２，４，４−トリメチル−２−ペンテン（沸点：１１２℃）、ｎ−ヘプタン（沸点：９８℃）が挙げられる。
【００６９】  安定性の点から、メタノール、２−プロピン−１−オール、２−メチル−１−ペンテン、２−メチル−２−ペンテン、３−エチル−２−ブテン、２，３−ジメチル−２−ブテン、２，４，４−トリメチル−１−ペンテン、２，４，４−トリメチル−２−ペンテン、Ｎ−メチルピロールがより好ましく、２−メチル−１−ペンテン、２−メチル−２−ペンテン、３−エチル−２−ブテン、２，３−ジメチル−２−ブテン、２，４，４−トリメチル−１−ペンテン、２，４，４−トリメチル−２−ペンテン、Ｎ−メチルピロールがさらに好ましい（上記化合物を安定剤として用いることにより、ＨＣＦＯ−１２３３ｙｄの分解を引き起こす原因物質、例えば酸素ラジカル等の過酸化物、の発生を抑えられる。また、酸素ラジカルが発生してＨＣＦＯ−１２３３ｙｄの還元体を生成した場合でも、還元体を再度酸化させてＨＣＦＯ−１２３３ｙｄを生成することができる。）。
【００７０】  本実施形態の溶剤組成物は、異なる種類の沸点が３０〜１２０℃の安定剤を２種以上含むことにより、優れた乾燥性を維持しながら、安定性がさらに向上する。安定剤の組合せとしては、アルコール安定剤、不飽和炭化水素類、アミン類のうち、２種類以上の安定剤の組合せが好ましい。例えば、アルコール安定剤と不飽和炭化水素類、アルコール安定剤とアミン類、不飽和炭化水素類とアミン類の組合せが挙げられる。同じ類に属する化合物を複数含んでもよい。
【００７１】  安定剤としては、下記ｉ）の群、ii）の群、iii）の群のうち少なくとも２以上の群から安定剤を選び、組合せることがより好ましい。また、各群から選ぶ安定剤は、１つでもよく、２つ以上でもよい。これらの安定剤を組合せて用いることで、安定剤の相乗効果により溶剤組成物の長期の安定性に優れる。ｉ）メタノール、２−プロピン−１−オールii）２−メチル−１−ペンテン、２−メチル−２−ペンテン、３−エチル−２−ブテン、２，３−ジメチル−２−ブテン、２，４，４−トリメチル−１−ペンテン、２，４，４−トリメチル−２−ペンテン、ｎ−ヘプタンiii）Ｎ−メチルピロール、Ｎ−メチルモルホリン、ｎ−プロピルアミン、ジイソプロピルアミン
【００７２】  本実施形態の溶剤組成物を洗浄装置で使用する場合には、洗浄装置内や溶剤再生装置での蒸留再生が繰り返されるため、溶剤組成物は連続的に過酷な条件にさらされる。また、本実施形態の溶剤組成物を不揮発性溶質の塗布溶剤として使用する場合には、揮発した溶剤組成物を活性炭の吸脱着による回収を行う際、活性炭からの脱着時に溶剤成分が過熱水蒸気と接触し、溶剤組成物は過酷な条件にさらされる。さらに、本実施形態の溶剤組成物を熱移動媒体として熱サイクルシステムで使用する場合には、溶剤組成物は圧縮膨張を繰り返す過酷な条件にさらされる。このように、本実施形態の溶剤組成物を、その相変化を伴う用途に使用する場合には、本実施形態の溶剤組成物は、安定剤としてフェノール類と、沸点が３０〜１２０℃の安定剤を含むことが好ましい。
【００７３】  本実施形態の溶剤組成物が、銅または銅合金と接触する場合には、それらの金属の腐食を避けるために、ニトロ化合物類やトリアゾール類を含有してもよい。ニトロ化合物類は、ニトロメタン、ニトロエタン、１−ニトロプロパン、２−ニトロプロパン、１−ニトロエチレンである。より好ましくは、ニトロメタンまたはニトロエタンである。トリアゾール類は、２−（２′−ヒドロキシ−５′−メチルフェニル）ベンゾトリアゾール、２−（２′−ヒドロキシ−３′−ターシャリー−ブチル−５′−メチルフェニル）−５−クロロベンゾトリアゾール、１，２，３−ベンゾトリアゾール、１−［（Ｎ，Ｎ−ビス−２−エチルヘキシル）アミノメチル］ベンゾトリアゾール等から選ばれるものであり、より好ましくは１，２，３−ベンゾトリアゾールである。上記ニトロ化合物類やトリアゾール類の含有濃度は、溶剤組成物全体に対して１０質量ｐｐｍ〜１質量％が好ましい。
【００７４】  本実施形態の溶剤組成物は、ＨＣＦＯ−１２３３ｙｄに加えて、さらに溶解性を高める、揮発速度を調節する等の各種の目的に応じて、ＨＣＦＯ−１２３３ｙｄに可溶な溶剤（以下、「溶剤（Ａ）」と記す。）を含んでもよい。なお、ＨＣＦＯ−１２３３ｙｄに可溶な溶剤とは、所望の濃度となるようにＨＣＦＯ−１２３３ｙｄに混合して、常温（２５℃）で撹拌することにより二層分離や濁りを起こさずに均一に溶解できる溶剤を意味する。  本実施形態の溶剤組成物に含まれる溶剤（Ａ）は、１種であってもよく、２種以上であってもよい。
【００７５】  溶剤（Ａ）としては、炭化水素類、アルコール安定剤、ケトン類、エーテル類、エステル類、クロロカーボン類、ＨＦＣ類、ＨＦＥ類、ＨＣＦＯ類、ＣＦＯ類からなる群より選ばれる少なくとも１種の溶剤が好ましい。
【００７６】  上記本実施形態における安定剤のうちには溶剤（Ａ）として使用できる化合物がある（たとえばｎ−ヘプタンなど）。そのような安定剤は、安定化効果を発揮するために充分な量を超えて本実施形態の溶剤組成物中に含有されていてもよい。その場合、安定化効果を発揮するために充分な量を超えた量の安定剤については溶剤（Ａ）とみなすものとする。
【００７７】  溶剤（Ａ）である炭化水素類としては、炭素数が５以上の炭化水素類が好ましい。炭素数が５以上の炭化水素類あれば、鎖状であっても環状であってもよく、また飽和炭化水素類であっても、不飽和炭化水素類であってもよい。
【００７８】  この炭化水素類としては、具体的には、ｎ−ペンタン、２−メチルブタン、ｎ−ヘキサン、２−メチルペンタン、２，２−ジメチルブタン、２，３−ジメチルブタン、ｎ−ヘプタン、２−メチルヘキサン、３−メチルヘキサン、２，４−ジメチルペンタン、ｎ−オクタン、２−メチルヘプタン、３−メチルヘプタン、４−メチルヘプタン、２，２−ジメチルヘキサン、２，５−ジメチルヘキサン、３，３−ジメチルヘキサン、２−メチル−３−エチルペンタン、３−メチル−３−エチルペンタン、２，３，３−トリメチルペンタン、２，３，４−トリメチルペンタン、２，２，３−トリメチルペンタン、２，２，４−トリメチルペンタン、ｎ−ノナン、２，２，５−トリメチルヘキサン、ｎ−デカン、ｎ−ドデカン、シクロペンタン、メチルシクロペンタン、シクロヘキサン、メチルシクロヘキサン、エチルシクロヘキサン、ビシクロヘキサン、α−ピネン、ジペンテン、デカリン、テトラリン、アミルナフタレン等が挙げられる。なかでも、ｎ−ペンタン、シクロペンタン、ｎ−ヘキサン、シクロヘキサン、ｎ−ヘプタンがより好ましい。
【００７９】  溶剤（Ａ）であるアルコール類としては、上記アルコール安定剤のうち、炭素数１〜１６のアルコール類が好ましい。炭素数１〜１６のアルコール類であれば、鎖状であっても環状であってもよく、また飽和アルコール類であっても、不飽和アルコール類であってもよい。
【００８０】  この溶剤（Ａ）であるアルコール類としては、具体的には、メタノール、１−ブタノール、２−メチル−１−プロパノール、１−ペンタノール、２−ペンタノール、３−ペンタノール、２−メチル−１−ブタノール、３−メチル−１−ブタノール、３−メチル−２−ブタノール、ネオペンチルアルコール、１−ヘキサノール、２−メチル−１−ペンタノール、４−メチル−２−ペンタノール、２−エチル−１−ブタノール、１−ヘプタノール、２−ヘプタノール、３−ヘプタノール、１−オクタノール、２−オクタノール、２−エチル−１−ヘキサノール、１−ノナノール、３，５，５−トリメチル−１−ヘキサノール、１−デカノール、１−ウンデカノール、１−ドデカノール、２−プロピン−１−オール、ベンジルアルコール、シクロヘキサノール、１−メチルシクロヘキサノール、２−メチルシクロヘキサノール、３−メチルシクロヘキサノール、４−メチルシクロヘキサノール、α−テルピネオール、２，６−ジメチル−４−ヘプタノール、ノニルアルコール、テトラデシルアルコール等が挙げられる。なかでも、メタノールがより好ましい。
【００８１】  溶剤（Ａ）であるケトン類としては、炭素数３〜９のケトン類が好ましい。炭素数３〜９のケトン類であれば、鎖状であっても環状であってもよく、また飽和ケトン類であっても、不飽和ケトン類であってもよい。
【００８２】  このケトン類としては、具体的には、アセトン、メチルエチルケトン、２−ペンタノン、３−ペンタノン、２−ヘキサノン、メチルイソブチルケトン、２−ヘプタノン、３−ヘプタノン、４−ヘプタノン、ジイソブチルケトン、メシチルオキシド、ホロン、２−オクタノン、シクロヘキサノン、メチルシクロヘキサノン、イソホロン、２，４−ペンタンジオン、２，５−ヘキサンジオン、ジアセトンアルコール、アセトフェノン等が挙げられる。なかでも、アセトン、メチルエチルケトンがより好ましい。
【００８３】  溶剤（Ａ）であるエーテル類としては、炭素数２〜８のエーテル類が好ましい。炭素数２〜８のエーテル類であれば、鎖状であっても環状であってもよく、また飽和エーテル類であっても、不飽和エーテル類であってもよい。
【００８４】  このエーテル類としては、具体的には、ジエチルエーテル、ジプロピルエーテル、ジイソプロピルエーテル、ジブチルエーテル、エチルビニルエーテル、ブチルビニルエーテル、アニソール、フェネトール、メチルアニソール、フラン、メチルフラン、テトラヒドロフラン等が挙げられる。なかでも、ジエチルエーテル、ジイソプロピルエーテル、テトラヒドロフランがより好ましい。
【００８５】  溶剤（Ａ）であるエステル類としては、炭素数２〜１９のエステル類が好ましい。炭素数２〜１９のエステル類であれば、鎖状であっても環状であってもよく、また飽和エステル類であっても、不飽和エステル類であってもよい。
【００８６】  このエステル類としては、具体的には、ギ酸メチル、ギ酸エチル、ギ酸プロピル、ギ酸ブチル、ギ酸イソブチル、ギ酸ペンチル、酢酸メチル、酢酸エチル、酢酸プロピル、酢酸イソプロピル、酢酸ブチル、酢酸イソブチル、酢酸ｓｅｃ−ブチル、酢酸ペンチル、酢酸メトキシブチル、酢酸ｓｅｃ−ヘキシル、酢酸２−エチルブチル、酢酸２−エチルヘキシル、酢酸シクロヘキシル、酢酸ベンジル、プロピオン酸メチル、プロピオン酸エチル、プロピオン酸ブチル、酪酸メチル、酪酸エチル、酪酸ブチル、イソ酪酸イソブチル、２−ヒドロキシ−２−メチルプロピオン酸エチル、安息香酸メチル、安息香酸エチル、安息香酸プロピル、安息香酸ブチル、安息香酸ベンジル、γ−ブチロラクトン、シュウ酸ジエチル、シュウ酸ジブチル、シュウ酸ジペンチル、マロン酸ジエチル、マレイン酸ジメチル、マレイン酸ジエチル、マレイン酸ジブチル、酒石酸ジブチル、クエン酸トリブチル、セバシン酸ジブチル、フタル酸ジメチル、フタル酸ジエチル、フタル酸ジブチル等が挙げられる。なかでも、酢酸メチル、酢酸エチルがより好ましい。
【００８７】  溶剤（Ａ）であるクロロカーボン類としては、炭素数１〜３のクロロカーボン類が好ましい。炭素数１〜３のクロロカーボン類であれば、鎖状であっても環状であってもよく、また飽和クロロカーボン類であっても、不飽和クロロカーボン類であってもよい。
【００８８】  このクロロカーボン類としては、具体的には、塩化メチレン、１，１−ジクロロエタン、１，２−ジクロロエタン、１，１，２−トリクロロエタン、１，１，１，２−テトラクロロエタン、１，１，２，２−テトラクロロエタン、ペンタクロロエタン、１，１−ジクロロエチレン、ｃｉｓ−１，２−ジクロロエチレン、ｔｒａｎｓ−１，２−ジクロロエチレン、トリクロロエチレン、テトラクロロエチレン、１，２−ジクロロプロパン等が挙げられる。なかでも、塩化メチレン、ｔｒａｎｓ−１，２−ジクロロエチレン、トリクロロエチレンがより好ましい。
【００８９】  溶剤（Ａ）であるＨＦＣ類としては、炭素数４〜８の鎖状または環状のＨＦＣ類が好ましく、１分子中のフッ素原子数が水素原子数以上であるＨＦＣ類に含まれる溶剤がより好ましい。
【００９０】  溶剤（Ａ）であるＨＦＣ類としては、具体的には、１，１，１，３，３−ペンタフルオロブタン、１，１，１，２，２，３，４，５，５，５−デカフルオロペンタン、１，１，２，２，３，３，４−ヘプタフルオロシクロペンタン、１，１，１，２，２，３，３，４，４−ノナフルオロヘキサン、１，１，１，２，２，３，３，４，４，５，５，６，６−トリデカフルオロヘキサン、１，１，１，２，２，３，３，４，４，５，５，６，６−トリデカフルオロオクタン等が挙げられる。なかでも、１，１，１，２，２，３，４，５，５，５−デカフルオロペンタン、１，１，１，２，２，３，３，４，４−ノナフルオロヘキサン、１，１，１，２，２，３，３，４，４，５，５，６，６−トリデカフルオロヘキサンがさらに好ましい。
【００９１】  溶剤（Ａ）であるＨＦＥ類としては、例えば、（ペルフルオロブトキシ）メタン、（ペルフルオロブトキシ）エタン、１，１，２，２−テトラフルオロ−１−（２，２，２−トリフルオロエトキシ）エタン等が挙げられる。なかでも、（ペルフルオロブトキシ）メタン、１，１，２，２−テトラフルオロ−１−（２，２，２−トリフルオロエトキシ）エタンが好ましい。
【００９２】  溶剤（Ａ）であるＨＣＦＯ類としては、１−クロロ−３，３，３−トリフルオロ−１−プロペンのＥ異性体およびＺ異性体、１，１−ジクロロ−３，３，３−トリフルオロ−１−プロペン、１，２−ジクロロ−３，３，３−トリフルオロ−１−プロペンのＥ異性体およびＺ異性体が挙げられる。なかでも、１−クロロ−３，３，３−トリフルオロ−１−プロペンのＺ異性体が好ましい。
【００９３】  溶剤（Ａ）であるＣＦＯ類としては、１，１−ジクロロ−２，３，３，３−テトラフルオロ−１−プロペンが挙げられる。
【００９４】  溶剤（Ａ）は引火点を持たない溶剤であることがさらに好ましい。引火点を持たない溶剤（Ａ）としては、１，１，１，２，２，３，４，５，５，５−デカフルオロペンタン、１，１，１，２，２，３，３，４，４−ノナフルオロヘキサン、１，１，１，２，２，３，３，４，４，５，５，６，６−トリデカフルオロヘキサン等のＨＦＣ類や、（ペルフルオロブトキシ）メタン、１，１，２，２−テトラフルオロ−１−（２，２，２−トリフルオロエトキシ）エタン等のＨＦＥ類、１−クロロ−３，３，３−トリフルオロ−１−プロペンのＥ異性体およびＺ異性体、１，１−ジクロロ−３，３，３−トリフルオロ−１−プロペン、１，２−ジクロロ−３，３，３−トリフルオロ−１−プロペンのＥ異性体およびＺ異性体等のＨＣＦＯ類、１，１−ジクロロ−２，３，３，３−テトラフルオロ−１−プロペン等のＣＦＯ類が挙げられる。溶剤（Ａ）として引火点を有する溶剤を用いる場合でも、本実施形態の溶剤組成物として引火点を持たない範囲でＨＣＦＯ−１２３３ｙｄと混合して用いることが好ましい。
【００９５】  また、ＨＣＦＯ−１２３３ｙｄと溶剤（Ａ）が共沸組成を形成する場合は、共沸組成での使用も可能である。
【００９６】  本実施形態の溶剤組成物が溶剤（Ａ）を含有する場合、本実施形態の溶剤組成物中の溶剤（Ａ）の含有量は、ＨＣＦＯ−１２３３ｙｄと溶剤（Ａ）の合計量１００質量部に対して溶剤（Ａ）が０．１〜５０質量部であることが好ましく、０．５〜２０質量部であることがより好ましく、１〜１０質量部であることがさらに好ましい。
【００９７】  溶剤（Ａ）の含有量が上記下限値以上であれば、溶剤（Ａ）による効果が充分に得られる。溶剤（Ａ）の含有量が上記上限値以下であれば、ＨＣＦＯ−１２３３ｙｄの持つ優れた乾燥性を阻害することがない。
【００９８】  以上説明した本実施形態の溶剤組成物は、物品表面の水切り乾燥性およびフラックスの洗浄性能に優れ、かつ地球環境に悪影響を及ぼさず、ＨＣＦＯ−１２３３ｙｄの分解を抑制し安定化した溶剤組成物である。
【００９９】  本実施形態の溶剤組成物は、金属、プラスチック、エラストマー、ガラス、セラミックス等の広範囲の材質の接触物に対して使用できる。本実施形態の溶剤組成物は、特に、水切り乾燥用溶剤およびフラックス洗浄剤、に適している。
【０１００】＜水切り乾燥方法＞  本実施形態の溶剤組成物は、純水などの水を用いて部品等の物品を洗浄等したときに、その物品の表面に付着した水分を効果的に除去できる。そのため、水切り乾燥溶剤として好適に使用可能である。
【０１０１】  水切り乾燥する物品としては、表面に水が付着したものであれば特に限定されないが、製造にあたって純水等での洗浄工程に付される物品、例えば、電子部品、電機部品、精密機械部品、光学部品などが好ましいものとして挙げられる。
【０１０２】  また、この溶剤組成物を適用する物品の表面は、例えば、金属、樹脂、ゴム、繊維、ガラス、セラミックスおよびこれらの複合材料等の材質が好ましいものとして挙げられる。複合材料としては、金属と樹脂の積層体等が挙げられる。本実施形態の溶剤組成物は、これらの表面に付着した水を、効果的に除去できる。
【０１０３】  水切り乾燥溶剤として用いる場合は、物品の表面において水が付着した面に、上記溶剤組成物を接触させて、物品の表面から水を除去すればよい。接触の方法としては、例えば、浸漬、スプレー、浸漬揺動、浸漬超音波、蒸気暴露、これらを組み合わせた方法などの方法が挙げられる。水切り剤として使用する場合には、必要に応じて、任意の水切り条件（温度、量、回数など）を採用するのが好ましい。
【０１０４】  さらに、上記水切り乾燥操作において、物品の表面から水を除去した後、物品の表面を乾燥させる。この物品の表面を乾燥する方法としては、自然乾燥でもよいし、温風乾燥、熱風乾燥、真空乾燥、イソプロパノールによる置換乾燥等の公知の乾燥方法により、乾燥を促進させ、効率的に水切り乾燥を行うようにしてもよい。
【０１０５】＜フラックスの洗浄方法＞  本実施形態の溶剤組成物は、電子部品等において半田付け等を行ったときに、その半田付けした部分に生じたフラックス成分を効果的に除去できる。そのため、フラックス洗浄剤として好適に使用可能である。
【０１０６】  フラックスの洗浄対象となる物品としては、表面にフラックスが付着したものであれば特に限定されないが、製造にあたって半田付けを実施する物品、例えば、電子部品、電機部品、精密機械部品、光学部品などが好ましいものとして挙げられる。
【０１０７】  フラックス洗浄剤として用いる場合は、物品の表面においてフラックスが付着した面に、上記溶剤組成物を接触させて、物品の表面からフラックスを除去すればよい。接触の方法としては、例えば、手拭き洗浄、浸漬洗浄、スプレー洗浄、浸漬揺動洗浄、浸漬超音波洗浄、蒸気洗浄、これらを組み合わせた方法等が挙げられる。洗浄装置、洗浄条件等も公知のフラックス洗浄の条件を適宜選択できる。
【０１０８】＜洗浄方法＞  また、本実施形態の溶剤組成物は、フラックス以外に、各種の物品に付着した加工油、ワックス、離型剤、ほこり等の洗浄を行うこともできる。ここで、被洗浄物のより具体的な例としては、繊維製品、医療器具、電気機器、精密機械、光学物品およびそれらの部品等が挙げられる。電気機器、精密機械、光学物品およびそれらの部品の具体例としては、ＩＣ、コンデンサ、プリント基板、マイクロモーター、リレー、ベアリング、光学レンズ、ガラス基板等が挙げられる。また、例えば、国際公開第２００８／１４９９０７号に示される洗浄装置、および洗浄方法が挙げられる。
【０１０９】  本実施形態の溶剤組成物を用いて国際公開第２００８／１４９９０７号に示される洗浄装置にて洗浄を行う場合、第１浸漬槽内の本実施形態の溶剤組成物の温度を２５℃以上、溶剤組成物の沸点未満とすることが好ましい。上記範囲内であれば、加工油等の脱脂洗浄を容易に行うことができ、超音波による洗浄効果が高い。また、第２浸漬槽内の本実施形態の溶剤組成物の温度を１０〜４５℃とすることが好ましい。上記範囲内であれば、蒸気洗浄工程において、物品の温度と溶剤蒸気の温度差が十分に得られるため、蒸気洗浄のために十分量の溶剤が物品表面で凝縮できるためすすぎ洗浄効果が高い。また洗浄性の点から第２浸漬槽の溶剤組成物の温度より第１浸漬槽内の本実施形態の溶剤組成物の温度が高いことが好ましい。
【０１１０】  洗浄剤または水切り乾燥剤等に使用した場合、部品等の表面に残った本実施形態の溶剤組成物は、乾燥によって除去できる。乾燥は、加熱乾燥、減圧乾燥、自然乾燥等の種々の乾燥方法において、任意の乾燥条件（温度、時間など）で行うことができる。特に、本実施形態の溶剤組成物の場合には、常温で迅速に蒸発するので、自然乾燥によって、表面から除去可能である。また、使用した本実施形態の溶剤組成物を、回収し、再生して、同様の用途、または他の用途に用いてもよい。
【０１１１】＜塗布溶剤用途＞  また本実施形態の溶剤組成物を、例えば、不揮発性溶質成分を物品表面に塗布する溶剤として使用する場合には、溶質成分を本実施形態の溶剤組成物に溶解した溶液とし、その溶液を被塗布物上に塗布し、溶剤組成物を蒸発させ、上記被塗布物上に不揮発性成分塗膜を形成させる。
【０１１２】  ここでいう不揮発性成分とは、物品に潤滑性を付与するための潤滑剤、金属部品の防錆効果を付与するための防錆剤、物品にはっ水性を付与するための防湿コート剤、物品への防汚性能を付与するための指紋付着防止剤等が挙げられる。
【０１１３】  本実施形態の溶剤組成物に潤滑剤を溶解させて潤滑剤溶液とすることもできる。  潤滑剤とは、２つの部材が互いの面を接触させた状態で運動するときに、接触面における摩擦を軽減し、熱の発生や摩耗損傷を防ぐために用いるものを意味する。潤滑剤は、液体（オイル）、半固体（グリース）、固体のいずれの形態であってもよい。
【０１１４】  潤滑剤としては、ＨＣＦＯ−１２３３ｙｄへの溶解性が優れる点から、フッ素系潤滑剤またはシリコーン系潤滑剤が好ましい。なお、フッ素系潤滑剤とは、分子内にフッ素原子を有する潤滑剤を意味する。また、シリコーン系潤滑剤とは、シリコーンを含む潤滑剤を意味する。
【０１１５】  上記潤滑剤溶液に含まれる潤滑剤は、１種であってもよく、２種以上であってもよい。フッ素系潤滑剤とシリコーン系潤滑剤は、それぞれを単独で使用してもよく、それらを併用してもよい。
【０１１６】  フッ素系潤滑剤としては、フッ素オイル、フッ素グリース、ポリテトラフルオロエチレンの樹脂粉末等のフッ素系固体潤滑剤が挙げられる。フッ素オイルとしては、パーフルオロポリエーテルやクロロトリフルオロエチレンの低重合物が好ましい。例えば、製品名「クライトックス（登録商標）ＧＰＬ１０２」（デュポン株式会社製）、「ダイフロイル＃１」、「ダイフロイル＃３」、「ダイフロイル＃１０」、「ダイフロイル＃２０」、「ダイフロイル＃５０」、「ダイフロイル＃１００」、「デムナムＳ−６５」（以上、ダイキン工業株式会社製）等が挙げられる。フッ素グリースとしては、パーフルオロポリエーテルやクロロトリフルオロエチレンの低重合物等のフッ素オイルを基油として、ポリテトラフルオロエチレンの粉末やその他の増ちょう剤を配合したものが好ましい。例えば、製品名「クライトックス（登録商標）グリース２４０ＡＣ」（デュポン株式会社製）、「ダイフロイルグリースＤＧ−２０３」、「デムナムＬ６５」、「デムナムＬ１００」、「デムナムＬ２００」（以上、ダイキン株式会社製）、「スミテックＦ９３６」（住鉱潤滑剤株式会社製）、「モリコート（登録商標）ＨＰ−３００」、「モリコート（登録商標）ＨＰ−５００」、「モリコート（登録商標）ＨＰ−８７０」、「モリコート（登録商標）６１６９」（以上、東レ・ダウコーニング株式会社製）等が挙げられる。
【０１１７】  シリコーン系潤滑剤としては、シリコーンオイルやシリコーングリースが挙げられる。シリコーンオイルとしては、ジメチルシリコーン、メチルハイドロジェンシリコーン、メチルフェニルシリコーン、環状ジメチルシリコーン、側鎖や末端に有機基を導入した変性シリコーンオイルが好ましい。例えば、製品名「信越シリコーンＫＦ−９６」、「信越シリコーンＫＦ−９６５」、「信越シリコーンＫＦ−９６８」、「信越シリコーンＫＦ−９９」、「信越シリコーンＫＦ−５０」、「信越シリコーンＫＦ−５４」、「信越シリコーンＨＩＶＡＣ  Ｆ−４」、「信越シリコーンＨＩＶＡＣ  Ｆ−５」、「信越シリコーンＫＦ−５６Ａ」、「信越シリコーンＫＦ−９９５」（以上、信越化学工業株式会社製）、「ＳＨ２００」（東レ・ダウコーニング株式会社製）等が挙げられる。シリコーングリースとしては、上記に挙げた種々のシリコーンオイルを基油として、金属石けん等の増ちょう剤、各種添加剤を配合した製品が好ましい。例えば、製品名「信越シリコーンＧ−３０シリーズ」、「信越シリコーンＧ−４０シリーズ」、「信越シリコーンＦＧ−７２０シリーズ」、「信越シリコーンＧ−４１１」、「信越シリコーンＧ−５０１」、「信越シリコーンＧ−６５００」、「信越シリコーンＧ−３３０」、「信越シリコーンＧ−３４０」、「信越シリコーンＧ−３５０」、「信越シリコーンＧ−６３０」（以上、信越化学工業株式会社製）、「モリコート（登録商標）ＳＨ３３Ｌ」、「モリコート（登録商標）４１」、「モリコート（登録商標）４４」、「モリコート（登録商標）８２２Ｍ」、「モリコート（登録商標）１１１」、「モリコート（登録商標）高真空用グリース」、「モリコート（登録商標）熱拡散コンパウンド」（以上、東レ・ダウコーニング株式会社製）等が挙げられる。
【０１１８】  またフッ素系潤滑剤としても、シリコーン系潤滑剤としても例示できるものとして、末端または側鎖をフルオロアルキル基で置換した変性シリコーンオイルであるフロロシリコーンオイルが挙げられる。例えば、製品名「ユニダイン（登録商標）ＴＧ−５６０１」（ダイキン工業株式会社製）、「モリコート（登録商標）３４５１」、「モリコート（登録商標）３４５２」（以上、東レ・ダウコーニング株式会社製）、「信越シリコーンＦＬ−５」、「信越シリコーンＸ−２２−８２１」、「信越シリコーンＸ−２２−８２２」、「信越シリコーンＦＬ−１００」（以上、信越化学工業株式会社製）等が挙げられる。
【０１１９】  これら潤滑剤溶液は、フッ素系潤滑剤が用いられる産業機器、パーソナルコンピュータやオーディオ機器におけるＣＤやＤＶＤのトレー部品、プリンタ、コピー機器、ファックス機器等の家庭用機器やオフィス用機器等に使用できる。また、シリコーン系潤滑剤が用いられる注射器の注射針やシリンダ、医療用チューブ部品等に使用できる。
【０１２０】  上記潤滑剤溶液（１００質量％）中の潤滑剤の含有量は、０．０１〜５０質量％が好ましく、０．０５〜３０質量％がより好ましく、０．１〜２０質量％がさらに好ましい。潤滑剤の含有量が上記範囲内であれば、潤滑剤溶液を塗布したときの塗布膜の膜厚、および乾燥後の潤滑剤塗膜の厚さを適正範囲に調製しやすい。同様に、防錆剤溶液における防錆剤の含有量も上記と同じ範囲であることが好ましい。
【０１２１】  潤滑剤溶液の塗布方法としては、たとえば、刷毛による塗布、スプレーによる塗布、物品を潤滑剤溶液に浸漬することによる塗布、潤滑剤溶液を吸い上げることによりチューブや注射針の内壁に潤滑剤溶液を接触させる塗布方法等が挙げられる。
【０１２２】  本実施形態における防錆剤とは、空気中の酸素によって容易に酸化されて錆を生じる金属の表面を覆い、金属表面と酸素を遮断することで金属材料の錆を防止する物質のことを言う。防錆剤としては、鉱物油、やポリオールエステル類、ポリアルキレングリコール類、ポリビニルエーテル類のような合成油が挙げられる。
【０１２３】  防錆剤の塗布方法は潤滑油と同様であり、刷毛による塗布、スプレーによる塗布、物品を防錆剤溶液に浸漬することによる塗布等が挙げられる。
【０１２４】  その他、プラスチック、ゴム、金属、ガラス、実装回路板への防湿性や防汚性を付与するための防湿コート剤や指紋付着防止剤についても同様の方法で物品表面に塗布することができる。防湿コート剤の製品例としてはトパス５０１３、トパス６０１３、トパス８００７（ポリプラスチックス社製品）、ゼオノア１０２０Ｒ、ゼオノア１０６０Ｒ（日本ゼオン社製品）、アペル６０１１Ｔ、アペル８００８Ｔ（三井化学社製品）、ＳＦＥ−ＤＰ０２Ｈ、ＳＮＦ−ＤＰ２０Ｈ（セイミケミカル社製品）が挙げられる。指紋付着防止剤等の防汚コート剤の製品例としては、オプツールＤＳＸ、オプツールＤＡＣ（ダイキン工業社製品）、フロロサーフＦＧ−５０００（フロロテクノロジー社製品）、ＳＲ−４０００Ａ（セイミケミカル社製品）等が挙げられる。
【０１２５】  潤滑剤や防錆剤、防湿コート剤、指紋付着防止剤、が塗布される被塗布物としては、金属、プラスチック、エラストマー、ガラス、セラミックス等、様々な材質の被塗布物を採用できる。
【０１２６】  これら潤滑剤や防錆剤、防湿コート剤、指紋付着防止剤等を溶解する前の本実施形態の溶剤組成物の状態でも、上記溶液の状態でも、保管中や使用中に分解することなく使用することができる。以上説明した本実施形態の溶剤組成物は、大気中の寿命が短く、かつ溶解性に優れ、地球環境に悪影響を及ぼさずに、分解することなく安定な状態で使用することができる。
【０１２７】＜熱移動媒体用途＞  本実施形態における熱移動媒体用途は、熱サイクルシステムに本実施形態の溶剤組成物を作動媒体（熱移動媒体）として用いるものである。これにより物質を加熱したり冷却したりすることができる。
【０１２８】  熱サイクルシステムとしては、ランキンサイクルシステム、ヒートポンプサイクルシステム、冷凍サイクルシステム、熱輸送システム、二次冷媒冷却システム等が挙げられる。
【０１２９】  以下、熱サイクルシステムの一例として、冷凍サイクルシステムについて説明する。  冷凍サイクルシステムとは、蒸発器において作動媒体が負荷流体より熱エネルギーを除去することにより、負荷流体を冷却し、より低い温度に冷却するシステムである。冷凍サイクルシステムでは、作動媒体蒸気Ａを圧縮して高温高圧の作動媒体蒸気Ｂとする圧縮機と、圧縮された作動媒体蒸気Ｂを冷却し、液化して低温高圧の作動媒体Ｃとする凝縮器と、凝縮器から排出された作動媒体Ｃを膨張させて低温低圧の作動媒体Ｄとする膨張弁と、膨張弁から排出された作動媒体Ｄを加熱して高温低圧の作動媒体蒸気Ａとする蒸発器と、蒸発器に負荷流体Ｅを供給するポンプと、凝縮器に流体Ｆを供給するポンプとから構成されるシステムである。
【０１３０】  さらに、本実施形態における作動媒体には潤滑油を使用することができる。潤滑油には、熱サイクルシステムに用いられる公知の潤滑油が用いられる。潤滑油としては、含酸素系合成油（エステル系潤滑油、エーテル系潤滑油等）、フッ素系潤滑油、鉱物油、炭化水素系合成油等が挙げられる。
【０１３１】  さらに、本実施形態における作動媒体は二次循環冷却システムにも適用できる。  二次循環冷却システムとは、アンモニアや炭化水素冷媒からなる一次冷媒を冷却する一次冷却手段と、二次循環冷却システム用二次冷媒（以下、「二次冷媒」という。）を循環させて被冷却物を冷却する二次循環冷却手段と、一次冷媒と二次冷媒とを熱交換させ、二次冷媒を冷却する熱交換器と、を有するシステムである。この二次循環冷却システムにより、被冷却物を冷却できる。本実施形態における作動媒体は、二次冷媒としての使用に好適である。
【実施例】
【０１３２】  以下、本実施形態の溶剤組成物について、実施例、比較例および参考例によりさらに詳細に説明する。【０１３３】［ＨＣＦＯ−１２３３ｙｄの製造（製造例１）］  ２０００ｇのＨＣＦＣ−２４４ｃａを原料にして、テトラ−ｎ−ブチルアンモニウムクロリドの１９．９ｇを入れ、反応温度を５０℃に保ち、４０質量％水酸化カリウム水溶液の２７９２ｇを３０分かけて滴下した。その後、５２時間反応を続け、有機層を回収した。回収した有機層を精製した結果、純度９９．９質量％のＨＣＦＯ−１２３３ｙｄ（Ｚ）を１５２０ｇ、純度９９．９質量％のＨＣＦＯ−１２３３ｙｄ（Ｅ）を１４０ｇ得た。この反応を繰返し実施し、試験に必要量のＨＣＦＯ−１２３３ｙｄ（Ｚ）またはＨＣＦＯ−１２３３ｙｄ（Ｅ）を製造した。  また、同様の反応により得られた、ＨＣＦＯ−１２３３ｙｄ（Ｚ）とＨＣＦＯ−１２３３ｙｄ（Ｅ）とを混合物として分離し、ＨＣＦＯ−１２３３ｙｄ（Ｚ）とＨＣＦＯ−１２３３ｙｄ（Ｅ）の異性体混合物も製造した。このとき得られたＨＣＦＯ−１２３３ｙｄの異性体混合物は、ＨＣＦＯ−１２３３ｙｄ（Ｚ）９５質量％、ＨＣＦＯ−１２３３ｙｄ（Ｅ）５質量％であった。【０１３４】［溶剤組成物の調製および比揮発度の測定］＜ＨＣＦＯ−１２３３ｙｄ（Ｚ）とエタノール＞  上記で得られたＨＣＦＯ−１２３３ｙｄ（Ｚ）と、エタノール（試薬１級、関東化学株式会社製）を表１に示したように種々の質量比で混合して得られた混合物（溶剤組成物）  ２００ｇを、３００ｍｌの丸底フラスコに分留頭および還流管を取り付けた気液平衡蒸留装置に入れ、圧力９．９５×１０４〜１．０２×１０５Ｐａで蒸留を行った。気相と液相の温度が平衡状態になった時点で、気相および液相から該混合物のサンプルを採取し、ガスクロマトグラフでＨＣＦＯ−１２３３ｙｄ（Ｚ）とエタノールの組成を分析し比揮発度を求めた。結果を各組成における沸点とともに表１に示す。なお、表１において「１２３３ｙｄ（Ｚ）」はＨＣＦＯ−１２３３ｙｄ（Ｚ）を示し、「Ｅｔ−ＯＨ」はエタノールを示す。【０１３５】  大気圧（１．０１１×１０５Ｐａ）において、気相および液相の組成は、表１のようにＨＣＦＯ−１２３３ｙｄ（Ｚ）が９６．０質量％、エタノールが４．０質量％で一致した（比揮発度が１．０）。このときの気相温度は５２．８℃であった。【０１３６】
【表１】
2017122802.tif 000002
【０１３７】＜ＨＣＦＯ−１２３３ｙｄ（Ｚ）とイソプロパノール＞  ＨＣＦＯ−１２３３ｙｄ（Ｚ）と、イソプロパノール（試薬１級、関東化学株式会社製）を表２に示した種々の質量比で混合して得られた混合物（溶剤組成物）  ２００ｇを、３００ｍｌの丸底フラスコに分留頭および還流管を取り付けた気液平衡蒸留装置に入れ、圧力９．９５×１０４〜１．０２×１０５Ｐａで蒸留を行った。気相と液相の温度が平衡状態になった時点で、気相および液相から該混合物のサンプルを採取し、ガスクロマトグラフでＨＣＦＯ−１２３３ｙｄ（Ｚ）とイソプロパノールの組成を分析し比揮発度を求めた。結果を各組成における沸点とともに表２に示す。なお、表２において「１２３３ｙｄ（Ｚ）」はＨＣＦＯ−１２３３ｙｄ（Ｚ）を示し、「ＩＰＡ」はイソプロパノールを示す。【０１３８】  大気圧（１．０１１×１０５Ｐａ）において、気相および液相の組成は、表２のようにＨＣＦＯ−１２３３ｙｄ（Ｚ）が９８．０質量％、イソプロパノールが２．０質量％で一致した（比揮発度が１．０）。このときの気相温度は５３．３℃であった。【０１３９】
【表２】
2017122802.tif 000003
【０１４０】  なお、上記した表１〜２において、いずれの気液平衡試験結果に記載している比揮発度は以下の式から求められる。【０１４１】（比揮発度を求める式）  比揮発度＝（液相部におけるＨＣＦＯ−１２３３ｙｄの質量％／液相部におけるアルコールの質量％）／（気相部におけるＨＣＦＯ−１２３３ｙｄの質量％／気相部におけるアルコールの質量％）【０１４２】［溶剤組成物の調製］  製造例１で得られたＨＣＦＯ−１２３３ｙｄ（Ｚ）、ＨＣＦＯ−１２３３ｙｄ（Ｅ）、ＨＣＦＯ−１２３３ｙｄの異性体混合物、上記溶剤組成物の調製時と同一のエタノールおよびイソプロパノールを用い、また、公知の溶剤組成物を用い、表３および表４に示す質量割合（％）となるように例１〜例１８の溶剤組成物を得た。【０１４３】  なお、例１４および１６（比較例）として、ＨＣＦＯ−１２３３ｙｄ（Ｚ）、ＨＣＦＯ−１２３３ｙｄ（Ｅ）のそれぞれ単独組成を、例１５（比較例）として製造例１で得られたＨＣＦＯ−１２３３ｙｄの異性体混合物を、例１７（参考例）として、ＨＣＦＣ−２２５（９５質量％）とエタノール（４．３〜４．５質量％）、ニトロメタン（残部）の混合物であるアサヒクリンＡＫ−２２５ＡＥＳ（旭硝子社製、商品名）を、例１８（参考例）として、１，１，２，２−テトラフルオロ−１−（２，２，２−トリフルオロエトキシ）エタン（ＨＦＥ−３４７ｐｃ−ｆ）（９４〜９５質量％）とエタノール（５〜６質量％）の混合物であるアサヒクリンＡＥ−３１００Ｅ（旭硝子社製、商品名）を、準備した。なお、ＨＣＦＯ−１２３３ｙｄの異性体混合物は、表中、単に「ＨＣＦＯ−１２３３ｙｄ」と示した。【０１４４】
【表３】
2017122802.tif 000004
【０１４５】
【表４】
2017122802.tif 000005
【０１４６】［試験例１：フラックス洗浄性能の評価］  得られた例１〜１８の溶剤組成物を用いて以下のフラックス洗浄試験を行い、フラックス洗浄性能を評価した。【０１４７】＜フラックス洗浄試験＞  （Ａ）くし型基板Ａ（導体幅：０．４０ｍｍ、導体間隔：０．１９ｍｍ、重ね代：１５．８７ｍｍ、基板全体寸法：５０×５０ｍｍ）に、洗浄用ポストフラックス（ＪＳ−１５ＣＡＴ：商品名、弘輝社製）を塗布し、１００℃で１０分乾燥後、２６０℃の噴流式鉛半田槽にて半田付け後、一晩静置して半田付けした基板（Ａ）を作製した。 【０１４８】  （Ｂ）くし型電極基板Ｂ（導体幅：０．６６ｍｍ、導体間隔：１．２２ｍｍ、重ね代：２１．１２ｍｍ、基板全体寸法：５０×５０ｍｍ）に洗浄用ソルダーペースト（Ｍ７０５−３４５Ｆ−３１−１２：商品名、千住金属工業社製）を塗布し、フロリナートＦＣ−４０（商品名、住友３Ｍ社製）で３０秒間予熱したのち、フロリナートＦＣ−７０（商品名、住友３Ｍ社製）で１０秒間の半田溶融後、一晩静置して半田付けした基板（Ｂ）を作製した。【０１４９】  上記により得られた、２種類の半田付けした基板（Ａ）、基板（Ｂ）のそれぞれについて、表３および表４に示す例１〜１８のフラックス洗浄剤を用いて以下の方法にて洗浄試験を実施した。【０１５０】  洗浄工程は、フラックス洗浄剤を５００ｍｌ入れた５００ｍｌのガラス製ビーカーに出力が２００Ｗ、周波数が３５ｋＨｚの超音波を照射した液温が４５℃の浸漬洗浄を３分間、さらにフラックス洗浄剤を５００ｍｌ入れた５００ｍｌのガラス製ビーカーに浸漬してすすぎ洗浄を３分間行い、最後に冷却コイルを取り付けた２０００ｍｌのビーカーで蒸気洗浄を３分間実施した。【０１５１】  洗浄後の基板（Ａ）および基板（Ｂ）の外観を観察し、表面の清浄度を目視で観察して洗浄性能を以下の評価基準により評価した。評価結果を表５および表６に示す。（評価基準）  Ａ：白色残渣が残らず洗浄できた。  Ｂ：わずかに白色残渣がみられたが実用上問題ない。  Ｃ：白色残渣がみられた。  Ｄ：多くの白色残渣がみられた。【０１５２】  表５および表６に示した通り、例１〜１３の溶剤組成物は、地球環境に悪影響を及ぼさない成分で構成され、性能においてはＨＣＦＣ類とアルコールの混合溶剤（例１７）と同程度であり、フラックス洗浄剤として十分な性能を有することが明らかである。また、ＨＦＥ類とアルコールの混合溶剤（例１８）は、フラックスの洗浄性は不充分である。【０１５３】［試験例２：水切り乾燥試験］  例１〜例１８の溶剤組成物を用いて以下の水切り乾燥試験を行い、水切り性能を評価した。【０１５４】  ２５ｍｍ×３０ｍｍ×厚さ２ｍｍのガラス製試験片を水に浸漬し、試験片の表面が水にぬれたものを使用した。水切り乾燥試験は、３枚の試験片を治具に載せ、２Ｌビーカーに入れた溶剤組成物  ５００ｇ中に１分間浸漬した後、ガラス製試験片を引き揚げることで行った。溶剤組成物から引き揚げた直後から大気中で１分間経過するまで、ガラス製試験片の表面に残留する水を目視にて観察し、以下の基準により評価した。評価結果を表５および表６に併せて示す。なお、評価は３枚のそれぞれについて行い、表５および表６にはそのうち最も悪い評価を記載し��。【０１５５】（評価基準）  Ａ：引き揚げた直後に試験片に水が残らず完全に乾燥していた。  Ｂ：引き揚げた直後には試験片に水が僅かに残ったが、１０秒以内に乾燥した。  Ｃ：引き揚げた直後には試験片に水が残ったが、１分間放置すると乾燥した。  Ｄ：引き揚げた直後に試験片に水が残り、１分後も乾燥しなかった。【０１５６】
【表５】
2017122802.tif 000006
【表６】
2017122802.tif 000007
表５および表６に示した通り、例１〜１３の溶剤組成物は、地球環境に悪影響を及ぼさない成分で構成され、水切り乾燥性が良好である。
【０１５７】［試験例３：不揮発性物質の溶解性］  例１〜１３の溶剤組成物を２０ｍｌの蓋付きサンプル瓶に各１０ｇを入れ、不揮発性物質としてシリコーン油「ＫＦ−９６−５０ＣＳ」（信越化学工業株式会社製、商品名）を１ｇ加えて振り混ぜたところ、いずれの溶剤組成物においてもシリコーン油を溶解したことを確認できた。【０１５８】  以上より、本実施形態の溶剤組成物は、地球環境への負荷を抑制し、水切り乾燥性に優れ、フラックスの洗浄性も良好で、かつ、溶剤組成物の安定性にも優れたものであることがわかった。
【産業上の利用可能性】
【０１５９】  本発明の溶剤組成物は、各種有機物の溶解性に優れ、かつ地球環境に悪影響を及ぼさず、水切り乾燥性やフラックスの洗浄性能に優れた溶剤組成物である。この溶剤組成物は、水切り乾燥およびフラックスの洗浄の他に、一般の汚れの洗浄や塗布用途等の広範囲の工業用途に有用であり、金属、プラスチック、エラストマー等の様々な材質の物品に対し、悪影響を与えることなく使用することができる。
【国際調査報告】
2017122802.tif 000008
2017122802.tif 000009
2017122802.tif 000010
2017122802.tif 000011